【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
ジャックハウジングと、
リジッドプリント基板（ＰＣＢ）と、
前記ジャックハウジング内に配置され、プラグコンタクト係合部とＰＣＢ取付部をそれぞれ有する複数の細長コンタクトを備えたジャックコンタクトアセンブリであって、前記プラグコンタクト係合部と前記ＰＣＢ取付部との間に信号経路を画定すると共に前記複数の細長コンタクトの前記プラグコンタクト係合部がそれぞれ互いに対して実質的に同一平面上にあるように各細長コンタクトが構成された、ジャックコンタクトアセンブリと、
前記複数の細長コンタクトのそれぞれにそれぞれのＦＣＢ取付部を介して結合され且つ前記画定された信号経路から位置ずれした１つ又は複数のフレキシブル回路基板（ＦＣＢ）と、を備え、
前記１つ又は複数のＦＣＢは、少なくとも第１及び第２銅層をそれぞれの反対面に有し前記画定された信号経路より位置ずれしたフレキシブル基板を含み、係合したそれぞれのコンタクト間の制御されたキャパシタンス補償を提供するように構成され、
前記制御されたキャパシタンスの値が、制御された誘電率と前記フレキシブル基板の厚さに基づき、さらに前記第１及び第２の銅層にそれぞれ関連付けられた第１及び第２の銅板の重なっている面積に基づき、
前記１つ又は複数のＦＣＢの制御されたキャパシタンスが、前記ジャックコンタクトアセンブリに結合された隣接プラグコンタクト間の常駐キャパシタンスを効果的にキャンセルする
ネットワークインターフェースコネクタ。
【請求項２】
前記細長コンタクトはそれぞれ、前記プラグコンタクト係合部及び前記ＰＣＢ取付部にそれぞれ対応する第１及び第２の対向端部を有し、前記ＦＣＢ取付部は、前記コンタクトの中間部から延びる相互接続ブランチをさらに含む、請求項１に記載のネットワークインターフェースコネクタ。
【請求項３】
前記関連するＦＣＢ取付部を含む各細長コンタクトは、単一のベース材料から一体的に形成される、請求項２に記載のネットワークインターフェースコネクタ。
【請求項４】
前記１つ又は複数の細長コンタクトのＦＣＢ取付部が、前記細長コンタクトの中間部の中央領域からせん断され、外側に延びてそれぞれの相互接続ブランチを形成する、請求項３に記載のネットワークインターフェースコネクタ。
【請求項５】
前記細長コンタクトのそれぞれは、前記ＰＣＢ取付部及び前記ＦＣＢ取付部にそれぞれ対応する第１及び第２の対向する端部を有し、前記プラグコンタクト係合部は、前記コンタクトの中間部をさらに含む、請求項１に記載のネットワークインターフェースコネクタ。
【請求項６】
前記複数の細長コンタクトは、第１及び第２の外側コンタクト及び複数の内側コンタクトを備え、前記第１及び第２の外側コンタクトは、前記複数の内側コンタクトより長く、それぞれの相手プラグコンタクトとの係合を開始しさらに該相手プラグを前記内側コンタクトと係合するように案内するように構成される、請求項５に記載のネットワークインターフェースコネクタ。
【請求項７】
前記細長コンタクトはそれぞれ、第１及び第２の部材を含み、前記第１及び第２の部材の各々は、前記ＰＣＢ取付部としての隣接する第１の端部を有し、前記第１の部材は、前記第２の部材から旋回し且つＦＣＢ取付部を画定する第２の端部を有し、前記第２の部材は前記第１の部材よりも長く前記プラグコンタクト係合部を画定する、請求項１に記載のネットワークインターフェースコネクタ。
【請求項８】
前記細長コンタクトのそれぞれは、前記プラグコンタクト係合部及び前記ＰＣＢ取付部にそれぞれ対応する第１及び第２の対向端を有し、前記ＦＣＢ取付部は、前記コンタクトの中間部をさらに含む、請求項１に記載のネットワークインターフェースコネクタ。
【請求項９】
各前記ＦＣＢの可撓性基板は、それぞれの細長コンタクトのＦＣＢ取付部に連結され中心軸の周りに弓形構成に曲げられ、該中心軸の対向面に適用される第１及び第２の銅層をさらに含む、請求項８に記載のネットワークインターフェースコネクタ。
【請求項１０】
前記第１の銅板は、前記第２の銅板に対して小さく且つ囲まれている、請求項１に記載のネットワークインターフェースコネクタ。
【請求項１１】
さらに、前記細長コンタクトのそれぞれを中に受け入れる少なくとも１つのコンタクトアライメント部材を備える、請求項１に記載のネットワークインターフェースコネクタ。
【請求項１２】
前記少なくとも１つのコンタクトアライメント部材が、前記細長コンタクト上にモールドされ且つ絶縁材料で形成される、請求項１１に記載のネットワークインターフェースコネクタ。
【請求項１３】
前記細長コンタクトのそれぞれは、前記プラグコンタクトと信号出力部との間で前記少なくとも１つのコンタクトアライメント部材に結合される、請求項１１に記載のネットワークインターフェースコネクタ。
【請求項１４】
前記ジャックハウジングの内壁と前記少なくとも１つのコンタクトアライメント部材との間に取付られた電気的に絶縁された圧縮バネをさらに備え、前記コンタクトアセンブリに垂直力を加えるように構成される、請求項１１に記載のネットワークインターフェースコネクタ。
【請求項１５】
前記細長コンタクトの第１のセットの前記ＰＣＢ取付部が第１の同一平面アレイに保持され、前記細長コンタクトの第２のＰＣＢ取付部が前記第１の同一平面アレイに平行な第２の同一平面アレイに保持される、請求項１に記載のネットワークインターフェースコネクタ。
【請求項１６】
前記細長コンタクトを取り囲み且つ前記細長コンタクトを受け入れるように構成された埋込保護スロットを有する絶縁コンタクトガイドフレーム、及び前記コンタクトガイドフレームから延びるリブをさらに備え、挿入プロセス中にプラグコンタクトと係合して案内する、請求項１に記載のネットワークインターフェースコネクタ。
【請求項１７】
前記ジャックハウジングをカプセル化するジャックシールドをさらに備え、前記ジャックコンタクトアセンブリと係合するときに前記リジッドＰＣＢとプラグコネクタとの間に電気接地経路をさらに提供する、請求項１に記載のネットワークインターフェースコネクタ。
【請求項１８】
前記各コンタクトの前記ＦＣＢ取付部分は、各コンタクト間の前記制御された静電容量補償がジャックプラグインターフェースのすぐ近くで提供されるように構成される、請求項１に記載のネットワークインターフェースコネクタ。
【請求項１９】
ジャックハウジングと、
リジッドプリント基板（ＰＣＢ）と、
前記ジャックハウジング内に配置され、さらにプラグコンタクト係合部とＰＣＢ取付部をそれぞれ有する複数の細長コンタクトを備えたジャックコンタクトアセンブリであって、前記プラグコンタクト係合部と前記ＰＣＢ取付部との間に信号経路を画定すると共に前記複数の細長コンタクトの前記プラグコンタクト係合部がそれぞれ互いに対して実質的に同一平面上にあるように各細長コンタクトが構成された、ジャックコンタクトアセンブリと、
細長コンタクトのそれぞれを貫通する少なくとも１つの接点アライメント部材であって、各細長コンタクトが、それぞれのプラグコンタクトと信号出力部との間で前記少なくとも１つのコンタクトアライメント部材に連結される、少なくとも１つの接点アライメント部材と、
それぞれのＦＣＢ取付部を介して前記複数の細長コンタクトのそれぞれに結合され且つ前記画定された信号経路から位置ずれした１つ又は複数のフレキシブル回路基板（ＦＣＢ）と、を備え、
前記１つ又は複数のＦＣＢは、少なくとも第１及び第２の銅層をそれぞれの反対面に有し前記画定された信号経路より位置ずれしたフレキシブル基板を含み、これによって結合しそれぞれのコンタクト間の制御されたキャパシタンス補償を提供するように構成された、
ネットワークインターフェースコネクタ。
【請求項２０】
前記各コンタクトの前記ＦＣＢ取付部分が、各コンタクト間の前記制御されたキャパシタンス補償がジャックプラグインターフェースのすぐ近くで提供されるように構成される、請求項１９に記載のネットワークインターフェースコネクタ。